(57)【要約】【課題】  いままでの据置き型給湯ポットで湯水を注ぐ時は、だいだいの勘でコップ等の容器を置くため、放水してきた湯水がコップ等の容器の外にこぼしてしまったりしていた。【解決手段】  今回の発明は上記欠点を解決する為、据置き型給湯ポットの出水口（そそぎ口）すぐそばにレーザー光線などの光源を設置し、実際に湯水を放水する前に、出てくる湯水の放水状態とほぼ同じ経路をなぞるように、出水口（そそぎ口）のすぐそばから、光線を発射し、光線で擬似シュミレーションをした所に、コップ等の容器をおいてから、実際に給湯する様にしたものである。【特許請求の範囲】
【請求項１】
据置き型給湯ポットの出水口（そそぎ口）の直ぐそばに一箇所、もしくは出湯水（そそぎ口）を囲むように数箇の光源を設け、湯水を出水する直前に、出てくる湯水と同じような放水状態を描くような光線を、出水口（そそぎ口）の直ぐそばから照射できるようにした据置き型給湯ポット。
【請求項２】
据置き型給湯ポットの給湯ボタンの直ぐ上又は表面にスイッチを設け、湯水を出水する直前に、据置き型給湯ポットの出水口（そそぎ口）の直ぐそばから光線を照射できるようにした、据置き型給湯ポット。
【請求項３】
据置き型給湯ポットの外表面に触れただけで、湯水を出水する直前に、出水口（そそぎ口）の直ぐそばから光線を照射できるようにした、据置き型給湯ポット。
【請求項４】
据置き型給湯ポットの中の温度に応じた色の光線を、据置き型給湯ポットから湯水を出水する直前に、出水口（そそぎ口）の直ぐそばから照射できるようにした、据置き型給湯ポット。
【請求項５】
据置き型給湯ポットの出水口（そそぎ口）から、出てくる湯水と同じような放水状態を描くような光線を、湯水を出水する直前に、出水口（そそぎ口）の直ぐそばから円錐状に照射できるようにした、据置き型給湯ポット。
【請求項６】
据置き型給湯ポットの出水口（そそぎ口）から、出てくる湯水と同じような放水状態を描くような光線を、出水口（そそぎ口）の直ぐそばから照射できるように、光源・電源・スイッチ等を電線でつないで、今ある据置き型給湯ポットに、両面テープや固定具等で取り付けできるようにした、給湯水着地点指示装置。
【発明の詳細な説明】
【技術分野】
【０００１】  本発明は、据置き型給湯ポットで湯水を給湯する時、出水する湯水の放水状態を光線等で、出水するほんの少し前に明示できる装置であるので、給湯を受けるコップなどの容器を、確実に出水着地点に目視しおくことが出来るので、給湯のときの注ぎこぼしがなくなり、安心して給湯が出来るようにした事に関するものである。
【背景技術】
【０００２】  いままでの据置き型給湯ポットで湯水を注ぐ時は、出てくる湯水の着地点を想像し、だいだいの勘でコップ等の容器を置くため、置いたコップ等の容器の中に命中せず、放水してきた湯水がコップ等の容器の外にこぼしてしまったりしていた。
【発明の概要】
【発明が解決しようとする課題】
【０００３】    据置き型給湯ポットの湯水をコップ等の容器に注ぐ時、据置き型給湯ポットの真上から見てコップ等の容器を置けば、湯水の出てくる位置がある程度把握が出来る為、放水着地点にコップ等の容器を置き、こぼさずに給湯することが出来るが、だいたいの勘で容器を置くので完璧ではなく不安が残る。
一般的には注ぐ人が据え置き型給湯ポットのすぐ脇にいて湯水を注ぐ場合が多い為、コップ等の容器を置く位置を斜めから見ながら置くようになるため、コップ等の容器を置く位置を特定しにくく、湯水を注いだときに置いたコップ等の容器の中に命中せず、放水してきた湯水がコップ等の容器の外にこぼしてしまったりしていた。
【課題を解決するための手段】
【００４】  今回の発明は上記欠点を解決する為、据置き型給湯ポットの出水口（そそぎ口）すぐそばに一箇所か、又は出水口（そそぎ口）を囲むように複数のレーザー光線などの光源を設置し、据置き型給湯ポットから湯水を出水する直前に、レーザー光線などの可視光線を、出てくる湯水の放水状態とほぼ同じ経路をなぞるように、据置き型給湯ポットの出水口（注ぎ口）のすぐそばから光線を発射出来るようにしたものである。【００５】据置き型給湯ポットからの出湯水とほぼ同じような軌道の光線が、湯水を注ぐ前に擬似的に目視できるため、出ている光線がはみ出さない所にコップ等の容器を置けば、光線と同じような軌道で湯水が出てくる為、実際に湯水を出したときに、湯水をこぼす心配も無く安心して注ぐことが出来るものである。【００６】  一般に据置き型給湯ポットからの出湯水は、据置き型給湯ポットの出水口（そそぎ口）から離れるほど、出湯水の直径が大きくなったり、又  給湯ボタン・レバーの押し方や、給湯ポットの中の貯水量などで、実際に出てくる湯水の放水軌道が一定でない為、据置き型給湯ポットの出水口（そそぎ口）すぐそばに設置した光源から出る光は、出水口（そそぎ口）からの距離と実際に出てくる湯水の直径や放水のぶれ等を考慮し、光源を基点として円錐状にした方が、より確実に出湯水の着地点を網羅でき、光線の照射光がコップ等の容器の中にはいって居れば、より安心して確実に給湯水できる。
放射する光線を円錐状にするのは、光源のすぐ出口にレンズを設置することにより容易に可能となる。【００７】  湯水を出す前に光線を照射するためのスイッチは、給湯ボタンの直ぐ上か表面の所に、触れたら直ぐ作動するようなスイッチを設置すれば、給湯スイッチ・レバーを押す直前に光線を照射するスイッチに触れる為、より実用的である。
又、据置き型給湯ポットの外表面のどこかに触れるとスイッチが入り、光線を照射できるようにすれば、大変使い勝手がよくなる。
又  給湯ボタンと解除ボタンの二つボタンのある据置き型給湯ポットの場合は、解除ボタンに光線を照射するためのスイッチを共有してもよい。【００８】  光源に供給する電源は据置き型給湯ポットが、電気を使わず保温のみの据置き型給湯ポットの場合は、乾電池を使用し、又  常に通電をしている据置き型給湯ポットの場合は、直接１００Ｖの電源を使用するか、１００Ｖから一時充電をし、充電器から電気を供給してもよい。
【発明の効果】
【００９】  据置き型給湯ポットから湯水を注ぐ前に照射された光線にて、実際に出てくる湯水の軌道が把握できる為、コップ等の容器の底中心部分に照射された光線があたるように容器を置けば、こぼすことなくコップ等の容器に湯水を注ぐことが出来る。【０１０】  光線の照射された軌道上にコップ等の容器を置くことは、簡単に目視しながら出来る為、湯水を注ごうとする人が、据置き型給湯ポットを真上から見なくとも、又  据置き型給湯ポットを斜めに横から見たような位置に居ても、又  乱雑に急いで湯水を注ごうとしても、照射された光線がコップ等の容器の中に入っていれば、こぼすことなく湯水を容器などに注ぐことが出来る。【０１１】  本発明の光線をレーザー光線にした場合、昼間などの明るい環境では光線の軌道は見えにくいが、レーザー光線の当たった所の着地点は、明るい所でも確認できる為、コップ等の容器の底中心にレーザー光線が当たって光線の色がついていれば、湯水がこぼれることなく確実に注げるものであり、レーザー光線などの光源と照射点の間の光線が確認できなくても、照射地点に当たった光が確認できれば、本発明の光源として利用できるものである。
【図面の簡単な説明】
【図１】本発明の実施例１
【０１２】  図１の本発明の実施例１について、図面を引用して説明する。
実施例１は、従来からある据置き型給湯ポット（１）に、本発明の給湯水着地点指示装置を取り付けた一例で、電源（４）と電線（１０）を設け、光源照射スイッチ（２）を触れた位で、出水口（注ぎ口）（６）の直ぐそばにつけた光源（５）から直線の光線（７）が照射され、周りの物体に当たった光源（７）を目視しながら、コップ等の容器（８）の底のところに光線が当たるようにコップ等の容器（８）を置き、光線照射スイッチ（２）の下にある給湯ボタン（３）を強く押して給湯水をしているものである。
【図２】本発明の実施例２
【０１３】  図２の本発明の実施例２は、円錐状の光線を照射するようにした今回発明した据置き型給湯ポットで、据置き型給湯ポット（１）の内部に電源（４）と電線（１０）を設け、解除ボタン（１１）と共有した光源照射スイッチ（２）をおすと、出水口（注ぎ口）（６）の直ぐそばにつけた光源（５）から円錐状の光線（７）が照射され、周りの物体に当たった光源（７）を目視しながら、コップ等の容器（８）の底のところに光線が当たるようにコップ等の容器（８）を置き、給湯ボタン（３）を押して給湯水をしているものである。
【符号の説明】１  据置き型給湯ポット
２  光線照射スイッチ
３  給湯ボタン
４  電源
５  光源
６  出水口（そそぎ口）
７  光線
８  コップ等の容器
９  １００Ｖ電気コード
１０  電線
１１  解除ボタン
【図１】
2017185168.tif 000002
【図２】
2017185168.tif 000003